(57)【要約】【課題】本発明は、太陽光・風力発電の不規則不安定な自然任せの発電とＣＯ２二酸化炭素を排出する火力電力のそれぞれの欠点を払拭しながらクリーンで無公害な発電をするシステムを提供する。【解決手段】無公害な発電をさせるシステムの動力源として「小さな力で大きな力を発生させる事ができる」パスカルの原理を応用した油圧システムを組み込んだ上に、更に滑車装置を連動させて負荷トルクをクリアーして連続して、発電運転稼働できるようにした事を特徴とする【選択図】図１
2017067061.tif 000002
【特許請求の範囲】
【請求項１】
風力発電で使われる様な発電機を内蔵したナセルをタワー上ではなく地盤上の堅牢な基礎の上に据付けて発電稼働できる様にした事を特徴としたニューメカニックオールタイム発電。
【請求項２】
堅牢な基礎上に据付けたナセルを発電稼働させるのに、その動力源として「小さな力で大きな力を発生させることが出来る」というパスカルの原理を応用した油圧ポンプ・油圧モーターの油圧システムを組み込んで運転作動できる様にした事を特徴としたニューメカニックオールタイム発電。
【請求項３】
動力源である油圧システムの圧力トルクだけではナセル発電機の負荷トルクには及ばないので、圧力トルクと負荷トルクに見合う様に滑車装置を組み込んだ事を特徴としたニューメカニックオールタイム発電。
【請求項４】
発電した電力の一部振り分けて蓄電池等を通じて動力源である油圧システムをサイクル運転する事でナセルの発電稼働は途切れる事なくオールタイム発電出来る様にした事を特徴としたニューメカニックオールタイム発電。
【発明の詳細な説明】
【技術分野】
【０００１】本発明は、太陽光発電、風力発電の不規則・不安定さ、火力発電のＣＯ２の大量排出という何れの欠点をもクリアーして、直、効率のよい発電をしようとする事に関するものです。
【背景技術】
【０００２】従来、太陽光発電、風力発電は不規則・不安定であり、火力発電はＣＯ２二酸化炭素を大量排出し、地球温暖化の元凶と云われている現状であり、今日までその何れの欠点をもクリアーしながら効率のよい発電するシステムは開発されていません。
【先行技術文献】
【技術文献】
【０００３】
【技術文献１】
【発明の概要】
【発明が解決しようとする課題】
【０００４】これまでは次の様な欠点があった。
（イ）太陽光発電、風力発電共に自然状況に影響を大いに受けやすく不安定であり、発電量も１０％〜１５％と主電源には遠く及ばない。
（ロ）風力発電も近年、台風・暴風で倒壊事故もあり、又低周波振動もあり、復旧し切っていない。
（ハ）全国の供給電力の８５％は火力発電であるが、それにともない、ＣＯ２二酸化炭素排出量も最高に達しており地球温暖化の元凶とも云われる。
本発明は以上のような各発電システムでの欠点をクリアーしながら安定した発電システムを開発しようと考えたものです。
【発明の実施をするための形態】
【０００８】以下発明の実施をするための形態について説明する。
風力発電で使われる様な発電機を内蔵したナセルは、地盤上の堅牢な土台に据付けられています。ハブには２連でホイールが取り付けられており、右側に滑車装置、そして油圧モーターが連動します。左側にも右側と同じ様に滑車装置そして油圧モーターが据付けられています。左右の油圧モーターは一緒に作動する事はありません。例えば左側の運転を始めると、ハブに取り付けられたホイールのワイヤーロープは引かれて回転を始め滑車を通過したワイヤーロープは左側油圧モーターのホイールに巻き取られ、直、ハブは回転を続けて発電稼働します。左側油圧モーターが一定の長さを引き込むと油圧コントロールシステムが働き右側油圧モーターが稼働し、ハブが右側油圧モーター用のホイールに巻き込んでいたワイヤーロープを引っ張り回転し発電稼働します。ハブのホイールの一方のワイヤーロープが引かれ始めるともう一方のワイヤーロープは巻かれ始めると云う動作を繰り返す事によって発電運転は連続する事になります。
本発明は以上の様な仕組み・構造であります。
直、本発明を実施するときは、ハブのホイールは連結させておきながら巻出し・巻き戻しを同じ長さになる様、更に油圧モーターの動作が左右切り換えるタイミングは、ワイヤーロープの巻きは２〜３周残して切り換わる様にすればスムーズな運転ができます。
【符号の説明】
【０００９】１    ナセル                            ６    油圧ポンプ
２    ハブホイール                      ７    蓄電池
３    ワイヤーロープ                    ８    配電盤
４    滑車装置
５    油圧モーター
【図１】
2017067061.tif 000003
【図２】
2017067061.tif 000004
【図３】
2017067061.tif 000005
【手続補正書】
【提出日】平成27年12月17日(2015.12.17)
【手続補正１】
【補正対象書類名】明細書
【補正対象項目名】全文
【補正方法】変更
【補正の内容】
【発明の詳細な説明】
【技術分野】
【０００１】本発明は、太陽光発電、風力発電の不規則・不安定さ、火力発電のＣＯ２の大量排出という何れの欠点をもクリアーして、直、効率のよい発電をしようとする事に関するものです。
【背景技術】
【０００２】従来、太陽光発電、風力発電は不規則不安定であり、火力発電はＣＯ２二酸化炭素を大量排出し、地球温暖化の元凶と云われている現状であり、今日までその何れの欠点をもクリアーしながら効率のよい発電するシステムは開発されていません。
【先行技術文献】
【技術文献】
【０００３】
【技術文献１】
【発明の概要】
【発明が解決しようとする課題】
【０００４】これまでは次の様な欠点があった。
（イ）太陽光発電、風力発電共に自然状況に影響を大いに受けやすく不安定であり、発電量も１０％〜１５％と主電源には遠く及ばない。
（ロ）風力発電も近年、台風・暴風で倒壊事故もあり、又低周波振動もあり、復旧し切っていない。
（ハ）全国の供給電力の８５％は火力発電であるが、それにともない、ＣＯ２二酸化炭素排出量も最高に達しており地球温暖化の元凶とも云われる。
本発明は以上のような各発電システムでの欠点をクリアーしながら安定した発電システムを開発しようと考えたものです。
【課題を解決する手段】
【０００５】ナセルのハブホイールにワイヤーロープを巻き込んでいます。そのワイヤーロープを油圧モーターで引く事で、その間に設けた滑車装置が動き、連動する事でハブホイールが連続発電稼働できるようにした。
本発明は以上のような構成よりなるニューメカニックオールタイム発電。
【発明の効果】
【０００６】（イ）天候に左右されずに連続して発電稼働する。
（ロ）地盤上に設置する為、倒壊する事はない。
（ハ）動力源は油圧ポンプ・油圧モーターの油圧システムであるため、地球温暖化の元凶とも云われるＣＯ２二酸化炭素を発生しない。
【図面の簡単な説明】
【０００７】
【図１】本発明の正面図である。
【図２】本発明の平面図である。
【発明の実施をするための形態】
【０００８】以下、発明の実施をするための形態について説明する。
風力発電で使われている様な発電機を内臓したナセルを土台の上に設置しています。ハブには、ブレードの変わりにワイヤーロープを巻き出し、巻き戻しの作用を同時にさせる為に２つのホイールを密着させたホイールを２組取り付けています。
ナセルのホイールは、油圧モーターに取り付けられているホイールに巻き取られます。
ハブ側と油圧モーター側の途中には滑車装置が組み込まれています。
動滑車装置で多滑車で油圧モーターを運転する事で負荷トルクは格段に小さなトルクで稼働します。通常５連位の滑車ですがその場合、負荷トルクの１０分の１の油圧モーターのトルクで稼働します。
本発明は以上のような構造である。
本発明を実施するときは油圧モーターは２基組み込まれている状態で一方が正転で運転している時はもう一方の油圧モーターは逆転運動をする仕組みです。一方の油圧モーターがワイヤーロープを巻き取り始めると同時に油圧モーターに巻き込んでいた別ホイールのワイヤーロープがハブホイールに巻き出されます。油圧モーターのホイールの巻き取りが終わると油圧モーターは逆回転を始めます。逆回転する事によりニュートラルな状態でハブのホイールに巻き戻されます。そして、連続して巻き取り巻き戻しがくり返えされて、もう一方の油圧モーターと、交互にしかも反対作用を、連続してくり返す事でハブホイールは同一方向に途切れる事なく連続運転稼働をする仕組みであります。
【符号の説明】
【０００９】１  滑車装置                    ５  ナセル
２  油圧モーター                ６  ハブ
３  巻き取りモーターホイール    ７  巻き戻しハブホイール
４  巻き出しハブホイール        ８  巻き戻しモーターホイール
９  ワイヤーロープ
【手続補正２】
【補正対象書類名】特許請求の範囲
【補正対象項目名】全文
【補正方法】変更
【補正の内容】
【特許請求の範囲】
【請求項１】
風力発電で使われるような発電機を内臓したナセルを土台に据付けて発電運転稼働させる為に油圧ポンプ、油圧モーターの油圧制御装置を動力源とした事を特徴としたニューメカニックオールタイム発電。
【請求項２】
ナセルを土台に据付けて、その運転の動力源として、油圧制御装置を組み込むと同時に動力源のトルクを増幅させる仕組みとして滑車装置を組み込み連動する様にした事を特徴としたニューメカニックオールタイム発電。
【請求項３】
ナセルが稼働時には発電した電力の一部を循環させて更に動力源を運転する様に仕組んだ事で連続運転が出来る様にした事を特徴としたニューメカニックオールタイム発電。
【手続補正３】
【補正対象書類名】図面
【補正対象項目名】全図
【補正方法】変更
【補正の内容】
【図１】
2017067061.tif 000006
【図２】
2017067061.tif 000007